(57)【要約】【課題】簡単な構成で、画像形成搬送路及び反転搬送路を充分に開放し、ジャム用紙の除去作業を確実に行える画像形成装置を提供する。【解決手段】画像形成装置１０は、画像形成搬送路Ｌ１と、反転搬送路Ｌ３と、開閉カバー１２と、装置本体１１とともに画像形成搬送路Ｌ１を形成し、且つ開閉カバー１２とともに反転搬送路Ｌ３を形成する搬送ガイド部材７０と、搬送ガイド部材７０をロックする第２ロック部材７１と、開閉カバー１２と搬送ガイド部材７０のロック状態を解除するロック解除部材１４とを備える。第２ロック部材７１は搬送ガイド部材７０に対して回転可能に軸支され、該回転によって開閉カバー１２の係合部材１３に当接可能となる突出部７１ｄを形成し、ロック解除部材１４によるロック状態の解除に連動して、第２ロック部材７１は回転し、開閉カバー１２を開く動作に連動して、係合部材１３は突出部７１ｄに当接するとともに搬送ガイド部材７０は装置本体１１に対して回転させられる。【選択図】図１
2011209336.tif 000002
【特許請求の範囲】
【請求項１】
用紙に画像形成を行う画像形成部と、前記画像形成部に用紙を搬送する用紙搬送路と、装置本体の側面に沿って延設され、片面に画像が形成された用紙を反転させて、前記用紙を前記用紙搬送路へと搬送するための反転搬送路と、前記装置本体に対して回転可能に軸支され前記装置本体内を開放する開閉部材と、前記装置本体に対して回転可能に軸支され、前記装置本体との間に前記用紙搬送路を形成し、且つ前記開閉部材との間に前記反転搬送路を形成する搬送ガイド部材と、前記開閉部材を前記装置本体に対してロックする第１ロック部材と、前記搬送ガイド部材を前記装置本体に対してロックする第２ロック部材と、前記開閉部材と前記搬送ガイド部材のロック状態を解除するロック解除部材とを備える画像形成装置において、
前記開閉部材には係合部材が設けられ、前記第２ロック部材は前記搬送ガイド部材に対して回転可能に軸支され、該回転によって前記開閉部材の係合部材に当接可能となる突出部を形成し、
前記ロック解除部材によるロック状態の解除に連動して前記第２ロック部材が回転してロック状態が解除され、前記開閉部材を開く動作に連動して前記係合部材が前記第２ロック部材の突出部に当接することにより、前記搬送ガイド部材が前記開閉部材とともに回転して前記用紙搬送路が開放されることを特徴とする画像形成装置。
【請求項２】
前記係合部材は前記第２ロック部材の回転軸方向に凸状に形成されるとともに、前記係合部材の前記第２ロック部材と当接する側の角部に面取りを施して形成され、前記突出部は前記回転軸方向に弾性変形可能に形成され、前記用紙搬送路が開放された状態において前記搬送ガイド部材のみを閉じる方向に回転させると、前記係合部材は前記突出部の弾性変形によって前記面取り部で前記突出部との当接が解除され、前記反転搬送路が開放されることを特徴とする請求項１に記載の画像形成装置。
【請求項３】
前記係合部材は前記第２ロック部材の回転軸方向に凸状に形成され、前記突出部は、前記係合部材と当接する側の角部に面取りを施して形成されるとともに、前記回転軸方向に弾性変形可能に形成され、前記用紙搬送路が開放された状態において前記搬送ガイド部材のみを閉じる方向に回転させると、前記係合部材は前記突出部の弾性変形によって前記面取り部で前記突出部との当接が解除され、前記反転搬送路が開放されることを特徴とする請求項１に記載の画像形成装置。
【発明の詳細な説明】
【技術分野】
【０００１】
本発明は、電子写真方式を利用した複写機、プリンタ、ファクシミリ、それらの複合機等の画像形成装置に関し、特に用紙搬送部を備える画像形成装置に関するものである。
【背景技術】
【０００２】
従来、画像形成装置においては用紙の片面に画像を形成した後、その用紙を排出せずに再度画像形成部に搬送し、他方の面にも画像を形成する両面印刷方式のものが広く用いられている。このような両面印刷方式の画像形成装置においては、片面に画像が形成された用紙を反転させる反転搬送路と、反転した用紙を画像形成部へ搬送する画像形成搬送路を備えた両面搬送ユニットが搭載されている。
【０００３】
特に近年、装置本体が小型に作られており、そのような装置本体内に搬送経路が収められると、用紙の搬送経路は直線的ではなく複雑に何回も湾曲することになり、ジャムした用紙を取り出しにくく、ジャム解消処理を行い難いという課題があった。
【０００４】
そこで、特許文献１では、開閉カバーには第１ロック部材が設けられ、画像形成搬送路と反転搬送路とを構成する搬送ガイド部材には第２ロック部材が設けられている。また、開閉カバー及び搬送ガイド部材のロック状態を解除するためのロック解除部材が設けられている。ジャム用紙を除去するためにロック解除部材を操作すると、第１ロックレバーによる係止状態が解除され、開閉カバーのロック状態が解除され、また、第２ロックレバーによる係止状態が解除され、搬送ガイド部材のロック状態が解除される。次に、ジャム処理時における画像形成搬送路を開放するために開閉カバーを所定の角度だけ回転させ、開閉カバーを開くと、開閉カバーの下部の内面に突出して設けられた支持用リブと、搬送ガイド部材の下部に設けられた突出部とが係合するため、搬送ガイド部材が回転し、画像形成搬送路が所定の角度開く。突出部が支持用リブに当接した状態で、開閉カバーを更に開くと、突出部は支持用リブに当接したまま摺動し、搬送ガイド部材は更に回転し、反転搬送路も開放される。この状態でジャム用紙の除去作業を行うことが可能になる。
【先行技術文献】
【特許文献】
【０００５】
【特許文献１】特開２００５−３３００６７号公報（段落［００３６］〜［００４４］、第３図、第６図）
【発明の概要】
【発明が解決しようとする課題】
【０００６】
しかしながら、上述した先行技術では、開閉カバーには支持用リブが設けられ搬送ガイド部材には第２ロック部材と突出部とが別設され、ジャム処理時に第２ロック部材によってロックが解除されるとこの突出部が支持用リブに係合する構成であるので、支持用リブ、第２ロック部材、及び突出部の構成部材数が多くなり、各部材の製造誤差、またそれら部材の組み立て誤差によって、係合位置のバラツキが発生し易くなり、画像形成搬送路、または反転搬送路が充分に開放されないおそれがある。このためにジャム用紙の除去作業を行い難くなる。また、構成部材数が多くコスト高となる。
【０００７】
本発明は、上記のような課題を解決するためになされたものであり、簡単な構成で、画像形成搬送路及び反転搬送路を充分に開放し、ジャム用紙の除去作業を確実に行える画像形成装置を提供することを目的とする。
【課題を解決するための手段】
【０００８】
上記目的を達成するために本発明は、用紙に画像形成を行う画像形成部と、前記画像形成部に用紙を搬送する用紙搬送路と、装置本体の側面に沿って延設され、片面に画像が形成された用紙を反転させて、前記用紙を前記用紙搬送路へと搬送するための反転搬送路と、前記装置本体に対して回転可能に軸支され前記装置本体内を開放する開閉部材と、前記装置本体に対して回転可能に軸支され、前記装置本体との間に前記用紙搬送路を形成し、且つ前記開閉部材との間に前記反転搬送路を形成する搬送ガイド部材と、前記開閉部材を前記装置本体に対してロックする第１ロック部材と、前記搬送ガイド部材を前記装置本体に対してロックする第２ロック部材と、前記開閉部材と前記搬送ガイド部材のロック状態を解除するロック解除部材とを備える画像形成装置において、前記開閉部材には係合部材が設けられ、前記第２ロック部材は前記搬送ガイド部材に対して回転可能に軸支され、該回転によって前記開閉部材の係合部材に当接可能となる突出部を形成し、前記ロック解除部材によるロック状態の解除に連動して前記第２ロック部材が回転してロック状態が解除され、前記開閉部材を開く動作に連動して前記係合部材が前記第２ロック部材の突出部に当接することにより、前記搬送ガイド部材が前記開閉部材とともに回転して前記用紙搬送路が開放されるとする画像形成装置。
【０００９】
この構成によれば、用紙搬送路で用紙がジャムした場合に、ロック解除部材を操作すると、第１ロック部材による開閉部材のロック状態が解除され、また、第２ロック部材が回転することによって前記搬送ガイド部材のロック状態が解除される。次に、開閉部材を開くと、開閉部材の係合部材は第２ロック部材の突出部に当接し、搬送ガイド部材は装置本体に対して回転させられ、用紙搬送路が開放される。そして、用紙搬送路でジャムした用紙を装置本体外に取り出すことが可能となる。
【００１０】
また、請求項２に記載の発明では、前記係合部材は前記第２ロック部材の回転軸方向に凸状に形成されるとともに、前記係合部材の前記第２ロック部材と当接する側の角部に面取りを施して形成され、前記突出部は前記回転軸方向に弾性変形可能に形成され、前記用紙搬送路が開放された状態において前記搬送ガイド部材のみを閉じる方向に回転させると、前記係合部材は前記突出部の弾性変形によって前記面取り部で前記突出部との当接が解除され、前記反転搬送路が開放されることを特徴としている。
【００１１】
また、請求項３に記載の発明では、前記係合部材は前記第２ロック部材の回転軸方向に凸状に形成され、前記突出部は、前記係合部材と当接する側の角部に面取りを施して形成されるとともに、前記回転軸方向に弾性変形可能に形成され、前記用紙搬送路が開放された状態において前記搬送ガイド部材のみを閉じる方向に回転させると、前記係合部材は前記突出部の弾性変形によって前記面取り部で前記突出部との当接が解除され、前記反転搬送路が開放されることを特徴としている。
【発明の効果】
【００１２】
請求項１に記載の発明によれば、用紙搬送路で用紙がジャムした場合に、ロック解除部材を操作すると、第１ロック部材による開閉部材のロック状態が解除され、また、第２ロック部材が回転することによって搬送ガイド部材のロック状態が解除される。次に、開閉部材を開くと、開閉部材の係合部材は第２ロック部材の突出部に当接し、搬送ガイド部材は装置本体に対して回転させられ、用紙搬送路が開放される。用紙搬送路でジャムした用紙を装置本体外に取り出すことが可能となる。従って、第２ロック部材に突出部を形成するという簡単な構成で、用紙搬送路が充分に開放され、ジャム用紙の除去作業を確実に行える。
【００１３】
また、請求項２に記載の発明によれば、開閉部材を更に開くと、第２ロック部材の突出部と開閉部材の係合部材との当接は、第２ロック部材の突出部の弾性変形によって開閉部材の面取り部で解除され、反転搬送路が開放される。従って、開閉部材の係合部材に面取りを施し、また、第２ロック部材の突出部を弾性変形可能なように、例えば突出部の肉厚を薄くするという簡単な構成で、反転搬送路が確実に開放され、反転搬送路のジャム用紙の除去作業を確実に行える。
【００１４】
また、請求項３に記載の発明によれば、開閉部材を更に開くと、第２ロック部材の突出部と開閉部材の係合部材との当接は、第２ロック部材の突出部の弾性変形によって第２ロック部材の面取り部で解除され、反転搬送路が開放される。従って、第２ロック部材の突出部に面取りを施し、また、第２ロック部材の突出部を弾性変形可能なように、例えば突出部の肉厚を薄くするという簡単な構成で、反転搬送路が確実に開放され、反転搬送路のジャム用紙の除去作業を確実に行える。
【図面の簡単な説明】
【００１５】
【図１】本発明の実施形態である画像形成装置の概略を示す図
【図２】実施形態である画像形成装置の開閉部材、搬送ガイド部材を示す斜視図
【図３】実施形態である画像形成装置の開閉部材、搬送ガイド部材を示す側面図
【図４】実施形態である画像形成装置の第２ロック部材を示す斜視図
【図５】実施形態である開閉部材に設けた係合部材を示す斜視図
【図６】実施形態である開閉部材に設けた係合部材を拡大して示す斜視図
【図７】実施形態である搬送ガイド部材のロック状態を示す要部側面図（図７（ａ））と要部断面図（図７（ｂ））
【図８】実施形態である画像形成装置の開閉部材と搬送ガイド部材のロックを解除した状態を示す側面図
【図９】実施形態である搬送ガイド部材のロックを解除した状態を示す要部側面図（図９（ａ））と要部断面図（図９（ｂ））
【図１０】実施形態である開閉部材の係合部材と第２ロック部材の突出部との当接を解除した状態を示す要部断面図
【発明を実施するための形態】
【００１６】
以下に本発明の実施形態について図面を参照して説明するが、本発明は、この実施形態に限定されない。また発明の用途やここで示す用語等はこれに限定されるものではない。
【００１７】
図１は、胴内排紙方式の用紙搬送部を備えた画像形成装置の概略を示す図である。尚、図１では用紙搬送部と画像形成部と給紙部を実線で示し、それ以外の部分を２点鎖線で示している。
【００１８】
画像形成装置１０は、直方体状の装置本体１１を備え、装置本体１１内の中央部には、画像形成部３４が配設される。画像形成部３４は、電子写真プロセスによって、用紙上にトナー像を形成するものであり、回転可能に軸支されアモルファスシリコン感光体や有機感光体からなる感光体３８と、この感光体３８の周囲にその回転方向に沿って、帯電部４０、露光部４２、現像器４４、転写部４８、クリーニング部４６、及び除電部４７を備えている。
【００１９】
帯電部４０は、高電圧を印加される帯電ワイヤを備えており、この帯電ワイヤからのコロナ放電によって感光体３８表面に所定電位を与えると、感光体３８表面が一様に帯電させられる。そして、画像読取部３７によって読み取られた原稿の画像データに基づく光が、露光部４２により感光体３８に照射されると、感光体３８の表面電位が選択的に減衰され、感光体３８表面に静電潜像が形成される。
【００２０】
次いで、現像器４４が感光体３８表面の静電潜像を現像し、感光体３８表面にトナー像が形成される。このトナー像が転写部４８によって感光体３８と転写部４８との間に供給された用紙に転写される。
【００２１】
トナー像が転写された用紙は、画像形成部３４の用紙搬送方向の下流側に配置された定着部５１に向けて搬送される。定着部５１では、加熱部材５２及び加圧ローラ５４によって、用紙が加熱加圧され、用紙上にトナー像が溶融定着される。次いで、トナー像が定着された用紙は、排出ローラ５８ａ、５８ｂによって排出部６０に排出される。
【００２２】
転写部４８による転写後、感光体３８表面に残留しているトナーは、クリーニング部４６により除去され、また感光体３８表面の残留電荷は除電部４７により除去される。そして、感光体３８は帯電部４０によって再び帯電され、以下同様にして画像形成が行われる。
【００２３】
画像形成装置１０は縦搬送型の装置であり、装置本体１１の下方に配設される給紙部２５と、上方に配設される排出部６０とを備え、給紙部２５と排出部６０との間には、用紙搬送部９０が設けられ、この用紙搬送部９０には画像形成部３４と定着部５１とが配設されている。
【００２４】
給紙部２５は、用紙が収容された給紙カセットを備えており、給紙ローラの回転動作により、給紙される用紙の重送を防止し、搬送ローラ５７ａ、５７ｂを介して、給紙部２５から用紙が１枚ずつ用紙搬送部９０に送り出される。
【００２５】
用紙搬送部９０は、画像形成装置１０内で用紙を搬送するためのもので、画像形成搬送路Ｌ１と排出搬送路Ｌ２とからなる用紙搬送路と、反転搬送路Ｌ３とを有する。
【００２６】
画像形成搬送路Ｌ１は、給紙部２５近傍の搬送ローラ５７ａ、５７ｂから定着部５１に至る搬送路であり、上方に延びて形成される。画像形成搬送路Ｌ１には、レジストローラ３２、転写部４８が設けられる。レジストローラ３２は転写部４８への用紙の搬送タイミングを制御し、転写部４８ではレジストローラ３２から搬送された用紙にトナー像を転写し、トナー像が転写された用紙は定着部５１に搬送される。
【００２７】
排出搬送路Ｌ２は、定着部５１から排出ローラ５８ａ、５８ｂに至る搬送路であり、上方に延び更に屈曲して形成される。排出搬送路Ｌ２では、トナー像が定着された用紙が排出ローラ５８ａ、５８ｂから排出部６０に排出される。
【００２８】
反転搬送路Ｌ３は、用紙の表面に画像を転写定着した後、必要に応じて用紙の裏面にも画像を形成するときに用いられるものであり、画像形成搬送路Ｌ１及び排出搬送路Ｌ２と、装置本体１１の側面部１１ｃとの間で上下方向に形成されている。反転搬送路Ｌ３では用紙を装置本体１１の上側から下側に搬送し、搬送路の上流側から逆転ローラ５９ａ、５９ｂと、複数の搬送ローラ６２ａ、６２ｂ〜６４ａ、６４ｂと、反転ローラ６５が設けられる。
【００２９】
反転搬送路Ｌ３の下側は反転ローラ６５を介して画像形成搬送路Ｌ１に連接し、反転搬送路Ｌ３の上側は経路切り替えガイド５６を介して排出搬送路Ｌ２に連接している。反転ローラ６５は用紙の搬送方向をＵ字状に変更するものである。経路切り替えガイド５６はソレノイド等の駆動機構のオンオフによって揺動駆動され、両面印刷時には、図１の細線の位置に揺動することによって、表面に画像が定着された用紙が排出搬送路Ｌ２の途中から反転搬送路Ｌ３側に向けられる。
【００３０】
給紙部２５から供給される用紙は、画像形成搬送路Ｌ１を上方に向けて搬送され、レジストローラ３２によって搬送のタイミングを取って転写部４８に搬送されると、転写部４８によりトナー像が用紙に転写される。トナー像を転写された用紙は、画像形成搬送路Ｌ１を上方に搬送され、定着部５１において加熱部材５２と加圧ローラ５４により加熱および加圧されると、トナー像が用紙に溶融定着される。定着された用紙は、排出搬送路Ｌ２を通って排出ローラ５８ａ、５８ｂによって排出部６０に排出される。
【００３１】
両面印刷する場合には、切り替えガイド５６はソレノイド等の駆動機構によって図１の細線の位置に切り替えられ、表面に画像が定着された用紙が搬送ローラ６１ａ、６１ｂによって反転搬送路Ｌ３に向けて搬送される。そして、用紙が逆転ローラ５９ａ、５９ｂに搬送され、その用紙の先端が逆転ローラ５９ａ、５９ｂから所定量だけ排出部６０に突出すると、逆転ローラ５９ａ、５９ｂは逆方向に回転し用紙を反転搬送路Ｌ３の下側に向けて搬送する。更に、用紙は複数の搬送ローラ６２ａ、６２ｂ〜６４ａ、６４ｂによって反転ローラ６５に向けて搬送され、反転ローラ６５によって反転搬送路Ｌ３から画像形成搬送路Ｌ１に搬送される。画像形成搬送路Ｌ１に搬送された用紙は、画像形成部３４でその裏面にトナー像を転写され、定着部５１によりトナー像を溶融定着されると、用紙は排出ローラ５８ａ、５８ｂから排出部６０に排出される。
【００３２】
また、画像形成装置１０の左側面には、開閉部材である開閉カバー１２が設けられる。開閉カバー１２は装置本体１１の側面部１１ｃの一部を構成するとともに支軸１７によって回転自在に装置本体１１に軸支される。
【００３３】
前述の画像形成搬送路Ｌ１、排出搬送路Ｌ２、及び反転搬送路Ｌ３は、用紙の搬送をガイドする複数のガイド部材により構成されている。画像形成搬送路Ｌ１は、装置本体１１に設けたガイド部材と搬送ガイド部材７０とで形成され、反転搬送路Ｌ３は搬送ガイド部材７０と開閉カバー１２に設けたガイド部材とで形成される。従って、搬送ガイド部材７０は、その左側面で画像形成搬送路Ｌ１を形成し、その右側面で反転搬送路Ｌ３を形成している。そして、搬送ガイド部材７０は支軸１７によって回転自在に装置本体１１に軸支される。
【００３４】
開閉カバー１２は用紙のジャム処理時に画像形成搬送路Ｌ１、排出搬送路Ｌ２、及び反転搬送路Ｌ３を開放するためのものであり、開閉カバー１２の上部にはロック解除部材１４が設けられている。ロック解除部材１４はジャム処理時に開閉カバー１２と搬送ガイド部材７０とのロック状態を解除するためのものである。ロック解除部材１４によりロックを解除して開閉カバー１２を開位置に回転させると、装置本体１１のガイド部材と搬送ガイド部材７０とで形成される画像形成搬送路Ｌ１が開放され、更に、搬送ガイド部材７０と開閉カバー１２のガイド部材とで形成される反転搬送路Ｌ３が開放されることになる。
【００３５】
開閉カバー１２と搬送ガイド部材７０とそれらの周辺の詳しい構成を図２、図３に基づいて詳しく説明する。図２は開閉部材及び搬送ガイド部材を示す斜視図であり、図３は開閉部材及び搬送ガイド部材を示す側面図である。
【００３６】
図２に示すように、開閉カバー１２には、フック状をなし開閉カバー１２に回転自在に軸支される第１ロック部材１５が設けられる。第１ロック部材１５は図２の時計回り方向にコイルバネ等により付勢され、装置本体１１に設けた第１係止部１１ａ（図３参照）に対向する。画像形成時において、この第１ロック部材１５を第１係止部１１ａに係止させることにより、開閉カバー１２が装置本体１１に対して閉じた状態にロックされる構成となっている。ジャム処理時において、ロック解除部材１４（図１参照）のロック解除の操作によって、第１ロック部材１５はバネの付勢力に抗して所定角度回転し、第１ロック部材１５と第１係止部１１ａとの係止が解除されると、開閉カバー１２が装置本体１１内を開放することが可能となる。
【００３７】
搬送ガイド部材７０には第２ロック部材７１が設けられる。第２ロック部材７１は、搬送ガイド部材７０に設けた回転軸７２に回転自在に軸支され、図２の時計回り方向にコイルバネ等により付勢される。そして、第２ロック部材７１のロック部（図３参照）が装置本体１１に設けた第２係止部１１ｂ（図３参照）に対向する。画像形成時において、第２ロック部材７１のロック部７１ｂを第２係止部１１ｂに係止させることにより、搬送ガイド部材７０が装置本体１１に対して所定の姿勢にロックされる構成となっている。
【００３８】
また、開閉カバー１２には、上下方向に移動自在である移動部材１６が設けられる。移動部材１６は第１ロック部材１５と第２ロック部材７１との間に配置され、移動部材１６の上端部１６ａが第１ロック部材１５の下面に当接し、一方、移動部材１６の下端部１６ｂが第２ロック部材７１の当接端７１ａ（図３参照）に当接している。第１ロック部材１５の所定角度の回転動作に連動し、移動部材１６が上下移動し、移動部材１６の上下移動にともなって第２ロック部材７１は所定角度だけ回転させられる。ジャム処理時において、ロック解除部材１４（図１参照）のロック解除の操作によって、移動部材１６は第１ロック部材１５を介して下方に移動させられる。移動部材１６の下方移動によって、第２ロック部材７１はバネの付勢力に抗して所定角度回転し、第２ロック部材７１のロック部７１ｂ（図３参照）と第２係止部１１ｂとの係止が解除される。これによって、搬送ガイド部材７０の所定姿勢のロック（ロック姿勢）が解除され、画像形成搬送路Ｌ１と反転搬送路Ｌ３が開放可能となる。
【００３９】
第２ロック部材７１を図４に示す。図４は第２ロック部材７１を示す斜視図である。尚、図４は図２の第２ロック部材７１を紙面の裏面側から見た斜視図である。
【００４０】
第２ロック部材７１は、当接端７１ａと、ロック部７１ｂと、軸受け孔７１ｃ、及び突出部７１ｄを有するように樹脂で形成される。
【００４１】
軸受け孔７１ｃは搬送ガイド部材７０に設けた回転軸７２（図３参照）に回転自在に嵌装される。当接端７１ａは、軸受け孔７１ｃの左側に形成され、移動部材１６の下端部１６ｂ（図３参照）に当接している。ロック部７１ｂは、軸受け孔７１ｃに対して当接端７１ａの反対側でフック状に形成され、第２係止部１１ｂ（図３参照）に解除可能に係合する。
【００４２】
突出部７１ｄは当接端７１ａの下側で軸受け孔７１ｃからＬ字状に延びて形成され、突出部７１ｄの端部には傾斜面７１ｇと平面７１ｆが形成される。傾斜面７１ｇは平面７１ｆに対して鈍角で傾斜している。平面７１ｆと軸受け孔７１ｃとの間には比較的に肉薄で長く延びた弾性変形部７１ｅが形成される。肉薄に形成されるので、弾性変形部７１ｅは第２ロック部材７１の回転軸方向（図４の紙面の表裏方向）に弾性変形することが可能である。弾性変形部７１ｅが弾性変形すると、突出部７１ｄは第２ロック部材７１の回転軸方向に揺動することになる。
【００４３】
第２ロック部材７１の突出部７１ｄは、図５に示す係合部材１３に当接することができる。図５は開閉カバー１２に設けた係合部材１３を示す斜視図である。
【００４４】
図５に示すように、開閉カバー１２には、反転搬送路Ｌ３（図１参照）の一方のガイド部材１２ｂが上下方向に延びて形成され、ガイド部材１２ｂの要所には、搬送ローラ６２ｂ、６３ｂ、６４ｂ（図１参照）を回転自在に軸支する複数のローラ受け部１２ｃが形成される。ガイド部材１２ｂの右側には平坦部１２ａが形成され、この平坦部１２ａから突出して係合部材１３が形成される。
【００４５】
図６は、図５の係合部材１３を拡大して示す斜視図である。係合部材１３は円弧に沿って凸状に形成され、この凸状部１３ａには円弧面１３ｂが形成される。円弧面１３ｂの角部には、円弧面１３ｂに対して４５度で傾斜した面取り部１３ｃが形成される。尚、面取りの角度は、例えば円弧面１３ｂに対して６０度等の４５度以外の角度であってもよい。この円弧面１３ｂは、第２ロック部材７１（図４参照）の回転にともなって、第２ロック部材７１の平面７１ｆに当接可能となる。
【００４６】
開閉カバー１２の係合部材１３と第２ロック部材７１の突出部７１ｄの配置を図７に示す。図７（ａ）は、搬送ガイド部材７０がロック状態にある時（画像形成時）の突出部７１ｄと係合部材１３との配置を示す側面部であり、図７（ｂ）は、図７（ａ）のＡ−Ａ方向の断面図である。また、図８はロック解除部材１４によるロックを解除した状態を示す側面図である。図９（ａ）は、搬送ガイド部材７０がロック解除状態にある時の突出部７１ｄと係合部材１３との配置を示す側面部であり、図７（ｂ）は、図９（ａ）のＢ−Ｂ方向の断面図である。図１０は開閉カバー１２の係合部材１３と第２ロック部材７１の突出部７１ｄとの当接を解除した状態（反転搬送路の開放状態）を示す要部断面図である。
【００４７】
図７（ｂ）に示すように、搬送ガイド部材７０がロック状態にある時には、第２ロック部材７１に形成された突出部７１ｄと開閉カバー１２に設けた係合部材１３は近接して配置される。この状態では、突出部７１ｄの平面７１ｆは係合部材１３の円弧面１３ｂに第２ロック部材７１の回転軸方向と直交する方向で対面しているが、図７（ａ）に示すように、突出部７１ｄは係合部材１３の円弧面１３ｂから離間した位置にある。また、開閉カバー１２に設けた移動部材１６（下端部１６ｂ）は第２ロック部材７１の当接端７１ａに当接した状態にある。
【００４８】
ここで、図８に示すように、開閉カバー１２に設けたロック解除部材１４を反時計回りに回転させると、第１ロック部材１５は所定角度回転し、装置本体１１の第１係止部１１ａとの係止が解除される。これによって、開閉カバー１２は装置本体１１に対して開くことが可能となる。
【００４９】
また、第１ロック部材１５の所定角度の回転によって移動部材１６は下方に移動させられ、そして、移動部材１６の下端部１６ｂは第２ロック部材７１の当接端７１ａを押し下げる。当接端７１ａが押し下げられると、第２ロック部材７１は回転軸７２の回りに所定角度回転して、第２ロック部材７１のロック部７１ｂと装置本体１１の第１係止部１１ａとの係止が解除される。これによって、搬送ガイド部材７０（図１参照）の装置本体１１に対するロックが解除され、画像形成搬送路Ｌ１と反転搬送路Ｌ３が開放可能となる。
【００５０】
この状態における第２ロック部材７１の突出部７１ｄと開閉カバー１２に設けた係合部材１３は、図９の位置関係にある。
【００５１】
図９（ａ）に示すように、第２ロック部材７１が所定角度回転すると、第２ロック部材７１の突出部７１ｄは係合部材１３の円弧面１３ｂに当接可能である位置まで回転する（図９（ｂ）も参照）。ここで、開閉カバー１２を開くと（開閉カバー１２は図９（ｂ）の右側に移動）、係合部材１３の円弧面１３ｂは第２ロック部材７１の平面７１ｆに当接し、第２ロック部材７１も図９（ｂ）の右側に移動し、第２ロック部材７１を介して搬送ガイド部材７０（図１参照）が開閉カバー１２と一体に支軸１７の回りに回転する。従って、搬送ガイド部材７０がロック姿勢から搬送路開放姿勢となり、搬送ガイド部材７０と装置本体１１のガイド部材で形成される画像形成搬送路Ｌ１が開放され、画像形成搬送路Ｌ１においてジャム処理を行うことができる。尚、搬送ガイド部材７０は、この搬送路開放姿勢で図示しない当接部材に当接し、更に支軸１７の回りに回転することができないように構成されている。
【００５２】
搬送ガイド部材７０が開閉カバー１２とともに搬送路開放姿勢にあるとき、搬送ガイド部材７０のみを閉じる方向（図９（ｂ）の左側方向）に回転操作させると、係合部材１３の円弧面１３ｂと第２ロック部材７１の平面７１ｆとの互いの当接部分に引っ張り力が加わる。この引張り力によって、第２ロック部材７１の弾性変形部７１ｅが第２ロック部材７１の回転軸方向に弾性変形し、係合部材１３の面取り部１３ｃで当接部分が外れる（図１０参照）。このように、搬送ガイド部材７０が搬送路開放姿勢において、開閉カバー１２と独立して支軸１７の回りに回転するので、搬送ガイド部材７０と開閉カバー１２のガイド部材で形成される反転搬送路Ｌ３が開放され、反転搬送路Ｌ３においてジャム処理を行うことができる。
【００５３】
ジャム処理が完了すると、図１０の状態から、開閉カバー１２を逆方向に回転させると（開閉カバー１２を図１０の左側に移動させると）、係合部材１３は第２ロック部材７１の傾斜面７１ｇを摺動するとともに、弾性変形部７１ｅの付勢力に抗して突出部７１ｄを第２ロック部材７１の回転軸方向に変形させ、係合部材１３の円弧面１３ｂと第２ロック部材７１の平面７１ｆが対面する。
【００５４】
更に、開閉カバー１２が閉まり、また、開閉カバー１２とともに搬送ガイド部材７０が逆方向に所定角度回転し、搬送ガイド部材７０と装置本体１１のガイド部材によって画像形成搬送路Ｌ１が形成され、また、搬送ガイド部材７０と開閉カバー１２とによって反転搬送路Ｌ３が形成されることになる。そして、第１及び第２ロック部材１５、７１がそれぞれ装置本体１１の第１及び第２係止部１１ａ、１１ｂに係止され、開閉カバー１２及び搬送ガイド部材７０はロック状態となる。また、搬送ガイド部材７０のみを先に閉じて第２ロック部材７１により閉姿勢に維持することも可能である。その状態において開閉カバー１２を閉じても、第１ロック部材１５が第１係止部１１ａに係止され、上述のように係合部材１３は第２ロック部材７１の平面７１ｆと対面する状態になる。
【００５５】
上記実施形態によれば、画像形成装置１０は、用紙に画像形成を行う画像形成部３４と、この画像形成部３４に用紙を搬送する画像形成搬送路Ｌ１と、装置本体１１の側面に沿って延設され、片面に画像が形成された用紙を反転させて、この用紙を画像形成搬送路Ｌ１へと搬送するための反転搬送路Ｌ３と、を備える。また、画像形成装置１０は、装置本体１１に対して回転可能に軸支され装置本体１１内を開放する開閉カバー１２と、装置本体１１に対して回転可能に軸支され、装置本体１１との間に画像形成搬送路Ｌ１を形成し、且つ開閉カバー１２との間に反転搬送路Ｌ３を形成する搬送ガイド部材７０と、を備える。更に、画像形成装置１０は、開閉カバー１２を装置本体１１に対してロックする第１ロック部材１５と、搬送ガイド部材７０を装置本体１１に対してロックする第２ロック部材７１と、開閉カバー１２と搬送ガイド部材７０のロック状態を解除するロック解除部材１４と、を備える。開閉カバー１２には係合部材１３が設けられ、第２ロック部材７１は搬送ガイド部材７０に対して回転可能に軸支され、該回転によって開閉カバー１２の係合部材１３に当接可能となる突出部７１ｄを形成し、ロック解除部材１４によるロック状態の解除に連動して第２ロック部材７１が回転してロック状態が解除され、開閉カバー１２を開く動作に連動して開閉カバー１２の係合部材１３が第２ロック部材７１の突出部７１ｄに当接することにより、搬送ガイド部材７０が開閉カバー１２とともに回転して画像形成搬送路Ｌ１が開放される。
【００５６】
この構成によって、画像形成搬送路Ｌ１で用紙がジャムした場合に、ロック解除部材１４を操作すると、第１ロック部材１５による開閉カバー１２のロック状態が解除され、また、第２ロック部材７１が回転することによって搬送ガイド部材７０のロック状態が解除される。次に、開閉カバー１２を開くと、開閉カバー１２の係合部材１３は第２ロック部材７１の突出部７１ｄに当接し、搬送ガイド部材７０は装置本体１１に対して回転させられ、画像形成搬送路Ｌ１が開放される。画像形成搬送路Ｌ１でジャムした用紙を装置本体１１外に取り出すことが可能となる。従って、第２ロック部材７１に突出部７１ｄを形成するという簡単な構成で、画像形成搬送路Ｌ１が充分に開放され、ジャム用紙の除去作業を確実に行える。
【００５７】
また、上記実施形態によれば、開閉カバー１２の係合部材１３は、第２ロック部材７１の回転軸方向に凸状に形成されるとともに、係合部材１３の第２ロック部材７１と当接する側の角部に面取りを施して形成され、第２ロック部材７１の突出部７１ｄは第２ロック部材７１の回転軸方向に弾性変形可能に形成される。画像形成搬送路Ｌ１が開放された状態において搬送ガイド部材７０のみを閉じる方向に回転させると、開閉カバー１２の係合部材１３は突出部７１ｄの弾性変形によって面取り部１３ｃで第２ロック部材７１の突出部７１ｄとの当接が解除され、反転搬送路Ｌ３が開放される。
【００５８】
この構成によって、開閉カバー１２の係合部材１３に面取りを施し、また、第２ロック部材７１の突出部７１ｄを弾性変形可能なように、例えば突出部７１ｄの肉厚を薄くするという簡単な構成で、反転搬送路Ｌ３が確実に開放され、反転搬送路Ｌ３のジャム用紙の除去作業を確実に行える。
【００５９】
尚、上記実施形態では、搬送ガイド部材７０は装置本体１１のガイド部材とともに画像形成搬送路Ｌ１を形成する構成を示したが、本発明はこれに限らず、搬送ガイド部材７０は装置本体１１のガイド部材とともに画像形成搬送路Ｌ１と排出搬送路Ｌ２とを形成する構成にしてもよい。この場合も上記実施形態と同様の効果を奏する。
【００６０】
また、上記実施形態では、係合部材１３の凸状部１３ａには円弧面１３ｂが形成され、この円弧面１３ｂの角部には面取り部１３ｃが形成される構成を示したが、本発明はこれに限らず、第２ロック部材７１の突出部７１ｄに平面７１ｆが形成され、この平面７１ｆの角部に４５度の面取り、または平面７１ｆに対して鈍角の面取りを施してもよい。この場合も上記実施形態と同様の効果を奏する。
【産業上の利用可能性】
【００６１】
本発明は、電子写真方式を利用した複写機、プリンタ、ファクシミリ、それらの複合機等の画像形成装置に利用することができ、特に、用紙搬送部を備える画像形成装置に利用することができる。
【符号の説明】
【００６２】
１０    画像形成装置
１１    装置本体
１１ａ    第１係止部
１１ｂ    第２係止部
１２    開閉カバー（開閉部材）
１２ａ    平坦部
１３    係合部材
１３ａ    凸状部
１３ｂ    円弧面
１３ｃ    面取り部
１４    ロック解除部材
１５    第１ロック部材
１６    移動部材
１６ａ    上端部
１６ｂ    下端部
１７    支軸
２５    給紙部
３４    画像形成部
５７ａ、５７ｂ、６１ａ〜６４ａ、６１ｂ〜６４ｂ    搬送ローラ
５８ａ、５８ｂ    排出ローラ
５９ａ、５９ｂ    逆転ローラ
６５    反転ローラ
７０    搬送ガイド部材
７１    第２ロック部材
７１ａ    当接端
７１ｂ    ロック部
７１ｃ    軸受け孔
７１ｄ    突出部
７１ｅ    弾性変形部
７１ｆ    平面
７１ｇ    傾斜面
７２    回転軸
９０    用紙搬送部
Ｌ１    画像形成搬送路
Ｌ２    排出搬送路
Ｌ３    反転搬送路
【図１】
2011209336.tif 000003
【図２】
2011209336.tif 000004
【図３】
2011209336.tif 000005
【図４】
2011209336.tif 000006
【図５】
2011209336.tif 000007
【図６】
2011209336.tif 000008
【図７】
2011209336.tif 000009
【図８】
2011209336.tif 000010
【図９】
2011209336.tif 000011
【図１０】
2011209336.tif 000012